(57)【特許請求の範囲】
【請求項１】
第１通話手段を制御するために装置本体に設けられた第１制御部と、装置本体と第２通話手段との間を制御するために装置本体に設けられた第２制御部とを備え、第１制御部のＩ／Ｏポートと第２制御部のＩ／Ｏポートとの間をバッファを介してパラレル接続させた通信装置であって、
前記第２制御部には、その出力が切換えられることによって前記バッファをハイインピーダンス状態にして前記第１制御部のＩ／Ｏポートと前記第２制御部のＩ／Ｏポートを切り離した状態にさせるとともに識別番号設定手段に識別番号を設定させる端子が配置されており、
前記識別番号設定手段は、前記端子が切換えられた際にＯＮされるとともにその一端がグランドに接続されたトランジスタと、電源にアノードが接続されるとともに前記トランジスタの他端にカソードが接続される取り外し可能なダイオードとを備え、前記端子が切換えられた際のダイオードの有無の組み合わせに応じて識別番号を設定する通信装置。
【請求項２】
請求項１に記載の通信装置において、装置本体の電源がＯＦＦからＯＮに変化したとき、前記端子の出力を切換える通信装置。
【発明の詳細な説明】
【０００１】
【発明の属する技術分野】
本発明は、コードレス電話機と付属電話機とを備えたファクシミリ装置等の通信装置に関するものである。
【０００２】
【従来の技術】
近年、ファクシミリ装置が半導体技術の進歩に伴って、小型で廉価な装置になってきた。そのため、一般家庭にもファクシミリ装置が普及しつつある。そして、昨今のファクシミリ装置では、付属電話機に加えて、コードレス電話機を備えたものがある。このコードレス電話機を用いれば、装置本体に備えられている付属電話機との間で内線通話することができるとともに、外線に発呼することもできる。また、コードレス電話機は、装置本体から電波の届く範囲であれば、どこにでも簡単に設置することができる。
【０００３】
【発明が解決しようとする課題】
ところで、コードレス電話機と装置本体との送受信部との間は、コードレス電話機のアンテナと装置本体の送受信部のアンテナとの間を電波を介して接続される。すなわち、コードレス電話機の送話側から入力された通話音声の信号は、電波を介して装置本体の受信部に受信されて、通話相手の受話側に送出される。また、同様に通話相手の送話側から入力された通話音声の信号は、装置本体の送信部から送信されて、コードレス電話機の受話側に送出される。
【０００４】
従って、コードレス電話機の使用者が外線の相手と通話できるためには、以下の条件を満足することが必要である。すなわち、コードレス電話機の送信周波数は、その送信を受信する装置本体の受信周波数に設定されていなければならない。また、装置本体の送信周波数は、その送信を受信するコードレス電話機の受信周波数に設定されていなければならない。そこで、装置本体と、コードレス電話機とに同一の識別番号を付与して、その識別番号を基にして、送受信周波数が同一になるように、設定することが一般的に行われている。
【０００５】
ところで、通常、識別番号の設定はＣＰＵのシリアルＩ／Ｏポートとそのポートに接続されるシリアル通信用ＩＣとから構成されている。しかし、シリアル通信用ＩＣが他の通信用途に使用される場合は、ＣＰＵのパラレルＩ／Ｏポートを利用して識別番号の設定を行わなければならない。
【０００６】
しかしながら、識別番号の設定のためにＣＰＵのパラレルＩ／Ｏポートが使用されると、他の設定等のためのパラレルポートが減少する。そこで、高性能のＣＰＵを採用すれば、専用のパラレルポートを設けることができるが、このような場合、廉価なファクシミリ装置を提供することは困難である。
【０００７】
本発明は、このような従来の技術に存在する問題点に着目してなされたものであって、ＣＰＵのパラレルＩ／Ｏポートと識別番号を設定するパラレルＩ／Ｏポートとを共用させ、制御部の構成を簡素化した通信装置を提供することにある。
【０００８】
【課題を解決するための手段】
上記の目的を達成するために、請求項１に記載の発明では、第１通話手段を制御するために装置本体に設けられた第１制御部と、装置本体と第２通話手段との間を制御するために装置本体に設けられた第２制御部とを備え、第１制御部のＩ／Ｏポートと第２制御部のＩ／Ｏポートとの間をバッファを介してパラレル接続させた。
【０００９】
そして、前記第２制御部には、その出力が切換えられることによってバッファをハイインピーダンス状態にして第１制御部のＩ／Ｏポートと第２制御部のＩ／Ｏポートを切り離した状態にさせるとともに識別番号設定手段に識別番号を設定させる端子を配置した。
また、識別番号設定手段は、端子が切換えられた際にＯＮされるとともにその一端がグランドに接続されたトランジスタと、電源にアノードが接続されるとともにトランジスタの他端にカソードが接続される取り外し可能なダイオードとを備え、端子が切換えられた際のダイオードの有無の組み合わせに応じて識別番号を設定する。
【００１０】
請求項２に記載の発明では、請求項１に記載の通信装置において、装置本体の電源がＯＦＦからＯＮに変化したとき、前記端子の出力を切換える。
なお、以下に述べる発明の実施の形態において、特許請求の範囲または課題を解決するための手段に記載の「第１通話手段」は付属電話機２３に相当し、同じく「第２通話手段」はコードレス電話機３に相当し、同じく「第１制御部」はＣＰＵ１１、ＲＯＭ１２及びＲＡＭ１３に相当し、同じく「第２制御部」はＣＰＵ２７ａ、ＲＯＭ２７ｂ及びＲＡＭ２７ｃに相当し、同じく「識別番号設定手段」はＣＰＵ２７ａ、ＲＯＭ２７ｂ、ＲＡＭ２７ｃ、ダイオードＤ１０〜Ｄ１９、バッファＩＣ１０〜ＩＣ１９、抵抗Ｒ１０〜Ｒ１９及びトランジスタＴｒに相当する。
【００１１】
【発明の実施の形態】
以下に、本発明を具体化した一実施形態を図面を用いて説明する。
図１に示すように、ファクシミリ装置１は、親機機能を有する装置本体２とコードレス電話機３とから構成されている。装置本体２は、ＣＰＵ１１、ＲＯＭ１２、ＲＡＭ１３、読取部１４、記録部１５、操作部１６、表示部１７、画像メモリ１８、ＮＣＵ１９、モデム２０、モニタスピーカ２２、付属電話機２３、送受信部２７及びアンテナ２８から構成されている。
【００１２】
ＣＰＵ１１は、装置本体２を構成する各部を制御する。ＲＯＭ１２は、装置本体２を制御するためのプログラムを記憶する。ＲＡＭ１３は、装置本体２に関する各種情報を一時的に記憶する。読取部１４は、原稿上の画像データを読み取って、白黒２値のイメージデータを出力する。記録部１５は、電子写真方式のプリンタよりなり、受信画データや読取部１４で読み取られた画データを記録紙上に記録する。
【００１３】
操作部１６は、電話番号を入力するためのテンキー（＊，＃キーを含む）１６ａ、コードレス電話機３に内線通話をするための内線キー１６ｂ、ファクシミリ通信動作等を開始させるためのスタートキー１６ｃ及びワンタッチダイヤルキー（図示略）等の各種操作キーを備えている。ＬＣＤ等よりなる表示部１７は、装置の動作状態等の各種情報の表示を行う。
【００１４】
画像メモリ１８は、受信画データや読取部１４で読み取られた画データを一時的に記憶する。ＮＣＵ１９は、電話回線Ｌ１の閉結及び開放を行うとともに、相手先のファックス番号に対応したダイヤルパルスの送出及び着信を検出する機能等を備えている。また、ＮＣＵ１９は、電話回線Ｌ１を装置本体２から他の装置に接続するための回線Ｌ２に切り替える機能も備えている。モデム２０は、送受信データの変調及び復調を行うものである。
【００１５】
モニタスピーカ２２は、外線からの着信やテンキーの押下操作に応じて、それぞれ呼出音やキー押下音を鳴動する。付属電話機２３は、装置本体２にケーブルによって接続されている。この付属電話機２３を用いれば、外線に発呼して通信相手との間で通話することができるとともに、着信した外線をオフフックして通話することもできる。
【００１６】
送受信部２７は、ＣＰＵ２７ａ、ＲＯＭ２７ｂ、ＲＡＭ２７ｃ、送信部２７ｄ及び受信部２７ｅから構成されている。ＣＰＵ２７ａは送受信部２７全体を制御する。ＲＯＭ２７ｂは送受信部２７を制御するために必要なプログラムを記憶する。また、ＲＯＭ２７ｂは、後述する識別番号を基に送受信部２７の送信周波数及び受信周波数を設定するための一覧表を記憶する。ＲＡＭ２７ｃは識別番号やコードレス電話機３との送受信に関する各種情報等を一時的に記憶する。送信部２７ｄはコードレス電話機３に対して各種データを送出する。受信部２７ｅはコードレス電話機３から送信されてきた各種データを受信する。従って、送受信部２７は、アンテナ２８を介してコードレス電話機３との間で各種の制御等に必要な情報の送受信を行う。なお、送受信部２７のＣＰＵ２７ａとＣＰＵ１１との間は、後述するようにバス２９によってパラレル接続されている。
【００１７】
子機機能を有するコードレス電話機３は、ＣＰＵ３１、ＲＯＭ３２、ＲＡＭ３３、操作部３４、送受信部３５及びアンテナ３６から構成されている。ＣＰＵ３１は、コードレス電話機３全体の制御を行う。ＲＯＭ３２は、識別番号やコードレス電話機３を制御するためのプログラムを記憶する。また、ＲＯＭ３２は、後述する識別番号を基に送受信部３５の送信周波数及び受信周波数を設定するための一覧表を記憶する。ＲＡＭ３３は、コードレス電話機３の各種情報を一時的に記憶する。操作部３４には、電話番号を入力するためのテンキー（＊，＃キーを含む）３４ａ、付属電話機２３との間で内線通話を行うための内線キー３４ｂ、外線に発呼したり、着信した外線をオフフックしたりするための外線キー３４ｃ、電話やリモート操作を終了するための切キー３４ｄ及び留守番電話に設定するため留守番電話設定キー（図示略）等を備えている。送受信部３５は、送信部３５ａと受信部３５ｂとから構成され、アンテナ３６を介して装置本体２との間で制御等に必要な情報の送受信を行う。
【００１８】
次に、ＣＰＵ１１の各パラレルＩ／Ｏポート（Ａ０端子〜Ａ９端子）とＣＰＵ２７ａの各パラレルＩ／Ｏポート（Ａ０端子〜Ａ９端子）との間のバス２９のパラレル接続に関する回路構成について、図２を用いて説明する。
【００１９】
ＣＰＵ１１のＡ０端子〜Ａ９端子には、バッファＩＣ１０〜ＩＣ１９を介してＣＰＵ２７ａのＡ０端子〜Ａ９端子が接続されている。ＣＰＵ２７ａのＦＣＯＤＥ端子には、トランジスタＴｒのベースと、バッファＩＣ１０〜ＩＣ１９の３ステート端子とが接続されている。バッファＩＣ１０〜ＩＣ１９とＣＰＵ２７ａのＡ０端子〜Ａ９端子との間には、それぞれ抵抗Ｒ１０〜Ｒ１９を介して電源Ｖccが接続されている。また、バッファＩＣ１０〜ＩＣ１９とＣＰＵ２７ａのＡ０端子〜Ａ９端子との間には、取り外し可能なダイオードＤ１０〜Ｄ１９のアノードが接続されている。ダイオードＤ１０〜Ｄ１９のカソードには、トランジスタＴｒのコレクタが接続されている。トランジスタＴｒのエミッタには、ＧＮＤが接続されている。
【００２０】
次に、コードレス電話機３のＣＰＵ３１の各パラレルＩ／Ｏポート（Ａ０端子〜Ａ９端子）の回路構成について、図３を用いて説明する。
ＣＰＵ３１のＡ０端子〜Ａ９端子には、ダイオードＤ３０〜Ｄ３９のアノードが接続されている。ダイオードＤ３０〜Ｄ３９のカソードには、ＧＮＤが接地されている。ＣＰＵ３１のＡ０端子〜Ａ９端子とダイオードＤ３０〜Ｄ３９のアノードとの間には、それぞれ抵抗Ｒ３０〜Ｒ３９を介して電源Ｖccが接続されている。
【００２１】
以上のように構成された装置本体２において、送受信部２７の識別番号を設定するときの動作について、図４に示すフローチャートを用いて説明する。
Ｓ１においては、使用者によって、装置本体２の電源がＯＦＦからＯＮに切り替えられる。
【００２２】
Ｓ２においては、前記Ｓ１における電源ＯＮに伴って、ＣＰＵ２７ａのＦＣＯＤＥ端子の出力が「Ｌ（Low）」から「Ｈ（High）」に切り替えられる。
Ｓ３においては、ＣＰＵ２７ａのＦＣＯＤＥ端子が「Ｈ」であるため、バッファＩＣ１０〜ＩＣ１９はハイインピーダンス状態となる。その結果、ＣＰＵ１１のＡ０端子〜Ａ９端子とＣＰＵ２７ａのＡ０端子〜Ａ９端子とが切り離された状態となる。また、トランジスタＴｒのベースに「Ｈ」が入力されると、トランジスタＴｒがＯＮ状態になって、コレクタ−エミッタ間が接続された状態となる。
【００２３】
この状態において、ダイオードＤ１０〜Ｄ１９の内、何れかのダイオードＤ１０〜Ｄ１９が取り外されていると、取り外されたダイオードＤ１０〜Ｄ１９に対応するＣＰＵ２７ａのＡ０端子〜Ａ９端子には、抵抗Ｒ１０〜Ｒ１９を介した電源Ｖccが供給される。その結果、取り外されたダイオードＤ１０〜Ｄ１９に対応するＣＰＵ２７ａのＡ０端子〜Ａ９端子は「Ｈ」となる。
【００２４】
一方、取り外されていないダイオードＤ１０〜Ｄ１９に対応するＣＰＵ２７ａのＡ０端子〜Ａ９端子には、抵抗Ｒ１０〜Ｒ１９を介した電源Ｖccが供給されず、電源Ｖccが抵抗Ｒ１０〜Ｒ１９、ダイオードＤ１０〜Ｄ１９及びトランジスタＴｒを介してＧＮＤに供給される。その結果、取り外されていないダイオードＤ１０〜Ｄ１９に対応するＣＰＵ２７ａのＡ０端子〜Ａ９端子は「Ｌ」となる。
【００２５】
従って、ＣＰＵ２７ａのＦＣＯＤＥ端子が「Ｈ」のときにおけるダイオードＤ１０〜Ｄ１９の有無によって、ＣＰＵ２７ａのＡ０端子〜Ａ９端子が「Ｈ」または「Ｌ」となる。そして、ＣＰＵ２７ａのＡ０端子〜Ａ９端子の「Ｈ」，「Ｌ」の組み合わせにより、識別番号が設定されて、その番号がＲＡＭ２７ｃに記憶される。
【００２６】
Ｓ４においては、ＣＰＵ２７ａのＦＣＯＤＥ端子が「Ｈ」から「Ｌ」に切り替えられ、バッファＩＣ１０〜ＩＣ１９の３ステート端子が「Ｈ」となる。その結果、ＣＰＵ１１のＡ０端子〜Ａ９端子とＣＰＵ２７ａのＡ０端子〜Ａ９端子とが接続される。従って、ＣＰＵ１１とＣＰＵ２７ａのＡ０端子〜Ａ９端子は、通常のパラレルＩ／Ｏポートとして機能する。
【００２７】
次に、コードレス電話機３の識別番号を設定するときの動作について、図３を参照しながら説明する。なお、この場合も前記図４に示すフローチャートと同様な動作をする。
【００２８】
ダイオードＤ３０〜Ｄ３９の内、何れかのダイオードＤ３０〜Ｄ３９が取り外されると、取り外されたダイオードＤ３０〜Ｄ３９に対応するＣＰＵ３１のＡ０端子〜Ａ９端子には、抵抗Ｒ３０〜Ｒ３９を介した電源Ｖccが供給される。その結果、取り外されているダイオードＤ３０〜Ｄ３９に対応するＣＰＵ３１のＡ０端子〜Ａ９端子は「Ｈ」となる。
【００２９】
一方、取り外されていないダイオードＤ３０〜Ｄ３９に対応するＣＰＵ３１のＡ０端子〜Ａ９端子には、抵抗Ｒ３０〜Ｒ３９を介した電源Ｖccが供給されず、電源ＶccがダイオードＤ３０〜Ｄ３９を介してＧＮＤに供給される。その結果、取り外されていないダイオードＤ３０〜Ｄ３９に対応するＣＰＵ３１のＡ０端子〜Ａ９端子は「Ｌ」となる。そして、ＣＰＵ３１のＡ０端子〜Ａ９端子の「Ｈ」，「Ｌ」の組み合わせにより、識別番号が設定されて、その番号がＲＡＭ３３に記憶される。
【００３０】
次に、ダイオードＤ１０〜Ｄ１９，Ｄ３０〜Ｄ３９の取り外しによって設定されたＣＰＵ２７ａ及びＣＰＵ３１の識別番号を基に送信周波数及び受信周波数を設定する動作について図５を用いて説明する。
【００３１】
ＲＯＭ２７ｂは、図５（ａ）に示すように、識別番号に対応した送受信部２７からの送信周波数及び受信周波数を記憶している。このため、例えば送受信周波数が１０通り、すなわち、チャンネル０〜９までの場合、チャンネル０には送受信部２７からの送信周波数が例えば４５．０〔ＭＨｚ〕に、送受信部２７の受信周波数が例えば４８．０〔ＭＨｚ〕に設定される。そして、ＲＡＭ２７ｃに設定された識別番号が０，１０，２０，…，１０１０，１０２０の場合は、送受信部２７にチャンネル０が設定される。以下、チャンネル１〜９も同様である。
【００３２】
一方、ＲＯＭ３２は、図５（ｂ）に示すように、識別番号に対応した送受信部３５からの送信周波数及び受信周波数を記憶している。このため、例えば送受信周波数が１０通り、すなわち、チャンネル０〜９までの場合、チャンネル０には送受信部３５からの送信周波数が例えば４８．０〔ＭＨｚ〕に、送受信部３５の受信周波数が例えば４５．０〔ＭＨｚ〕に設定される。そして、ＲＡＭ３３に設定された識別番号が０，１０，２０，…，１０１０，１０２０の場合は、送受信部３５にチャンネル０が設定される。以下、チャンネル１〜９も同様である。
【００３３】
従って、送受信部２７，３５間の送受信周波数が設定されるため、送受信部２７と送受信部３５との間が電波を介して接続される。その結果、付属電話機２３とコードレス電話機３との間で内線通話を行うことができるとともに、コードレス電話機３を用いて外線の相手と通話することができる。
【００３４】
以上、詳述したように本実施形態によれば、次のような効果を得ることができる。
・装置本体２のＣＰＵ１１とＣＰＵ２７ａとの間がパラレル接続であるため、シリアルＩ／Ｏポートと比べて、専用の通信用ＩＣが不要である。従って、ＣＰＵ１１の周辺の回路が簡素化できる。
【００３５】
・装置本体２の電源がＯＮになったとき、ＣＰＵ２７ａのＦＣＯＤＥ端子が「Ｌ」から「Ｈ」になり、ダイオードＤ１０〜Ｄ１９の有無がＣＰＵ２７ａのＡ０端子〜Ａ９端子に読み込まれる。このため、通常のＣＰＵ１１のＡ０端子〜Ａ９端子と識別番号を設定するためのＣＰＵ２７ａのＡ０端子〜Ａ９端子を共有させることができる。その結果、ＣＰＵ１１のパラレルＩ／Ｏポート回路を簡素化することができる。
【００３６】
・ＣＰＵ１１のＡ０端子〜Ａ９端子と識別番号を設定するためのＣＰＵ２７ａのＡ０端子〜Ａ９端子を共有化させたため、高性能のＣＰＵを用いることなく、２＊＊１０＝１０２４（＊＊は、べき積を示す）通りの識別番号を設定することができるとともに、廉価なファクシミリ装置を提供することができる。
【００３７】
・装置本体２のダイオードＤ１０〜Ｄ１９の取り外す位置が、コードレス電話機３のダイオードＤ３０〜Ｄ３９の取り外す位置が同じであれば、装置本体２の識別番号と、コードレス電話機３の識別番号とが一致する。このため、この識別番号を基に、送受信部２７とコードレス電話機３との送受信周波数を簡単に設定することができる。
【００３８】
なお、本実施形態は、次のように変更して具体化することも可能である。
・パラレル接続の本数は、１０本以上であっても良い。すなわち、Ｎ本であれば、２＊＊Ｎ通りの識別番号を設定することができる。
【００３９】
・装置本体２は、ファクシミリ機能を備えた装置でなく、通常の親子電話機の機能を有する電話機であっても良い。
・装置本体２とコードレス電話機３との間の送受信周波数及びチャンネル数は、本実施形態に限定されるものではなく、任意に設定しても良い。
【００４０】
【発明の効果】
本発明は、以上のように構成されているため、次のような効果を奏する。
請求項１に記載の発明によれば、第１及び第２制御部のパラレルＩ／Ｏポート間の接続を簡素化することができる。
【００４１】
請求項２に記載の発明によれば、請求項１に記載の発明の効果に加えて、装置本体の電源がＯＦＦからＯＮになったときに、装置本体及び第２通話手段に周波数が設定される。
【図面の簡単な説明】
【図１】一実施形態のファクシミリ装置のブロック図。
【図２】同じく、ＣＰＵ１１のパラレルＩ／ＯポートとＣＰＵ２７ａのパラレルＩ／Ｏポートとの間のバス２９のパラレル接続に関する回路構成図。
【図３】同じく、ＣＰＵ３１のパラレルＩ／Ｏポートにおける回路構成図。
【図４】同じく、識別番号を設定するときの動作を示すフローチャート。
【図５】同じく、識別番号を送信周波数に設定するための一覧表。
【符号の説明】
１…ファクシミリ装置、２…装置本体、３…第２通話手段としてのコードレス電話機、１１…第１制御部および識別番号設定手段を構成するＣＰＵ、１２…第１制御部を構成するＲＯＭ、１３…第１制御部を構成するＲＡＭ、２３…第１通話手段としての付属電話機、２７ａ…第２制御部及び識別番号設定手段を構成するＣＰＵ、２７ｂ…第２制御部を構成するＲＯＭ、２７ｃ…第２制御部を構成するＲＡＭ、Ｄ１０〜Ｄ１９…識別番号設定手段を構成するダイオード、ＩＣ１０〜ＩＣ１９…識別番号設定手段を構成するバッファ、Ｒ１０〜Ｒ１９…識別番号設定手段を構成する抵抗、Ｔｒ…識別番号設定手段を構成するトランジスタ。
【図１】
0003777720.tif 000002
【図２】
0003777720.tif 000003
【図３】
0003777720.tif 000004
【図４】
0003777720.tif 000005
【図５】
0003777720.tif 000006